(57)【要約】      （修正有）【課題】拡張可能な音声棒を提供する。【解決手段】拡張可能な音声棒は、延伸交換棒１０３と多数のリムーバブルスピーカー棒１０１、１０５により組成し、延伸交換棒１０３の両端には、それぞれ螺接構造を備え、リムーバブルスピーカー棒１０１、１０５は、１個から多数個のスピーカー１０７を設置し、しかも各棒は螺接構造を備え、相互に隣接する棒と相互に嵌合し、相互に隣接する延伸交換棒１０３と螺接して一体に結合後、単一の音声棒１００を形成する。【選択図】図１
0003180061.tif 000002
【実用新案登録請求の範囲】
【請求項１】
両端に螺接構造を備えるリムーバブル棒体を備え、
前記リムーバブル棒体には、１個から多数個のスピーカーを設置し、
前記リムーバブル棒体は、別種の棒体と相互に嵌合し、
こうして、付加或いは取り外し可能状に組み合わせて、音声棒を構成することを特徴とする拡張可能な音声棒。
【請求項２】
相互に隣接する２個の棒の螺接構造は、接合部位を備え、これにより相互に螺接して結合することを特徴とする請求項１に記載の拡張可能な音声棒。
【請求項３】
前記接合部位と音声棒との方向は、垂直であることを特徴とする請求項２に記載の拡張可能な音声棒。
【請求項４】
前記接合部位は、１個の凹が陥没し、１個の凸が突出することにより、完全に密着、結合することができることを特徴とする請求項２に記載の拡張可能な音声棒。
【請求項５】
前記接合部位の凹縁端と凸縁端は、ボルトを使用して、固定して結合することを特徴とする請求項４に記載の拡張可能な音声棒。
【請求項６】
前記音声棒は、メディアプレーヤーを連接しサラウンドサウンドを出力し、しかもメディアプレーヤーのサイズと前記音声棒とは適用可能であることを特徴とする請求項１に記載の拡張可能な音声棒。
【請求項７】
前記サラウンドサウンドシステムは、別のスピーカー装置を備え、無線方式でスピーカーと連結することを特徴とする請求項６に記載の拡張可能な音声棒。
【請求項８】
前記音声棒はさらに、メディアプレーヤーを備えることを特徴とする請求項６に記載の拡張可能な音声棒。
【請求項９】
前記音声棒は、大容量の保存空間を備え、大量再生のメディアを保存することができることを特徴とする請求項６に記載の拡張可能な音声棒。
【請求項１０】
少なくとも１個の棒には、フック孔を設置し、これにより前記音声棒の垂直表面を確保することを特徴とする請求項１に記載の拡張可能な音声棒。
【請求項１１】
多数のリムーバブル棒体を備え、
前記各リムーバブル棒体は、相互に隣接する棒体に対応して連接し、
前記リムーバブル棒体はすべて相同の接合構造を備え、これにより相互に接合し、
１個、或いは多数個のスピーカー棒、或いはゼロ個から多数個の延伸交換棒を備え、
前記各スピーカー棒はさらに、１個から多数個のスピーカーを設置し、組み合わせて１個の音声棒を形成し、
前記音声棒の総長さとサイズは、設置する延伸交換棒に応じて変化し、スピーカー棒を変える必要はないことを特徴とする拡張可能な音声棒。
【請求項１２】
前記１個或いは多数個のスピーカーを備え、接合構造を備える２個の棒は、一体に接合し、一切の延伸交換棒を付加せずに、音声棒の最小の長さを組成することを特徴とする請求項１１に記載の拡張可能な音声棒。
【請求項１３】
前記音声棒は、前記延伸交換棒を接合することで、長さを拡張することができることを特徴とする請求項１１に記載の拡張可能な音声棒。
【考案の詳細な説明】
【技術分野】
【０００１】
本考案は拡張可能な音声棒に関し、特に交換可能なスピーカーシステムを備え、さまざまな大きさのメディアプレーヤーに適応可能である拡張可能な音声棒に関する。
【背景技術】
【０００２】
サラウンド音声システムなどのスピーカーシステムは通常、テレビ、MP3、DVD/CDプレーヤーなどからの音声効果を改善する。しかし、テクノロジーの進歩に従い、プレーヤーなどの設備の大きさは変化を続けている。例えば、より大きく、より安価で、より薄いディスプレイ設備は、既に次世代のメディア設備の共同のトレンドになっている。
【０００３】
現在の音響システムのコンポーネントは、大きさが一定の構成部材である。そのため、長く使用できない他に、一旦旬が過ぎれば、市場の中心であるメディアプレーヤー設備のサイズと相互適用ができなくなる。そのため、メーカーは、異なるサイズの新しいスピーカーシステムを生産し、市場のニーズに応えなければならない。
【０００４】
しかし、再生設備の更新速度が速くなるに従い、メディア設備とサイズの変化に対応するためには、供給者であろうと、消費者であろうと、支出しなければならない金銭的負担は大きくなっている。すなわち、従来のスピーカーコンポーネントは、大きな浪費で、しかも競争力を備えていない。本考案は、従来のスピーカーの上記した欠点に鑑みてなされたものである。
【考案の概要】
【考案が解決しようとする課題】
【０００５】
本考案が解決しようとする課題は、拡張可能な音声棒を提供することである。
【課題を解決するための手段】
【０００６】
上記課題を解決するため、本考案は下記の拡張可能な音声棒を提供する。
実施例において、該音声棒装置は、中央に延伸交換棒を備え、しかも両端にはそれぞれ左スピーカー棒と右スピーカー棒を連接し、
該左スピーカー棒と該右スピーカー棒には、サラウンドサウンドシステムを設置し、中央の延伸交換棒は、取り外しでき、或いは別の延伸交換棒と相互に接続して延長でき、
こうして、各種サイズのメディアプレーヤーシステムに適応でき、
例えば、12インチのテレビに用いる音声棒を60インチのテレビに適用する際にも、既存の中央部分の延伸交換棒の長さを換えるだけで簡単に達成でき、
実施例では、拡張可能な音声棒は、少なくとも１個の延伸交換棒と多数のリムーバブルスピーカー棒を備え、
該延伸交換棒の両端には共に、スピーカー棒を固定し、該各スピーカー棒には、１個から多数個のスピーカーを設置し、前後両端のスピーカー棒はさらにそれぞれ連接し、他の延伸交換棒を固定して、これによりどこまでも延伸でき、
実施例では、２個のスピーカー棒がそれぞれ、延伸交換棒と相互に固定して連接すると、両者の横断面は、揃った縦方向に延伸する音声棒を形成し、
別種の実施例では、拡張可能な音声棒は、多数のリムーバブルスピーカー棒と延伸交換棒を備え、１個の単一の音声棒を形成し、
該各棒は、相互に連接した対応し、該各棒端部には、共同の構造を備え、これにより相互に連接して延伸でき、
相互に隣接する棒は、接触端に、対応するコネクター構造を備え、該２個の棒の連接対応端は、相互に連接して一体に固定され、
実施例では、音声棒は、１個から多数個のスピーカー棒と、ゼロから多数個の延伸交換棒を備え、
該各１個のスピーカー棒中には、１個から多数個のスピーカーを設置でき、音声棒の合計の長さは、各単独の棒の長さの和で、スピーカーの一を変えなくとも、延伸交換棒を交換するだけで、長さを変えることができる。
【考案の効果】
【０００７】
本考案の拡張可能な音声棒は、交換可能なスピーカーシステムを備え、さまざまな大きさのメディアプレーヤーに適応可能である。
【図面の簡単な説明】
【０００８】
【図１】本考案実施例の立体視図である。
【図２】本考案実施例の各面視図である。
【図３】本考案実施例の多面、及び分解立体視図である。
【図４】本考案別種の実施例の多面、及び分解立体視図である。
【図５】本考案実施例が提供するメディアプレーヤーのサラウンドサウンドフィールドの模式図である。
【図６】本考案実施例が提供する別種のメディアプレーヤーのサラウンドサウンドフィールドの模式図である。
【図７】本考案実施例が提供する複合式メディアプレーヤーのサラウンドサウンドフィールドの模式図である。
【図８】本考案実施例が提供する別種の複合式メディアプレーヤーのサラウンドサウンドフィールドの模式図である。
【考案を実施するための形態】
【０００９】
以下に図面を参照しながら本考案を実施するための最良の形態について詳細に説明する。説明中の「実施例」とは、本考案と連結する特定の構造、或いは特性をいう。説明中で「実施例」が指すものは、相同とは限らない。
【実施例】
【００１０】
実施例中で、スピーカーを設置する音声棒は、それと離れた延伸交換棒を含み、数量(或いは長さ)に関わらず、どれも連接でき、適当なサイズ、或いは配置の延伸交換棒を選択するだけで、さまざまなメディアプレーヤーに適応させることができる。よって、各種サイズのスピーカーを含む音声棒を提供することができる。
【００１１】
図１は、拡張可能な音声棒の立体視図である。音声棒１００は、左スピーカー棒１０５、右スピーカー棒１０１、中央に延伸交換棒１０３を備える。音声棒１００は、付加セクション(関節に類似)を通して、組み立てて結合することができる。例えば、右スピーカー棒１０１は、付加エンド１０９により、延伸交換棒１０３と連接でき、連接部分において、緊密に連接でき、外観上は区別がつかない。
【００１２】
各棒は、取り外し可能で、音声棒１００を新たに配置、或いは新たに組み合わせることができる。図１に示すように、音声棒１００の長さは、右スピーカー棒１０１、延伸交換棒１０３、左スピーカー棒１０５の総和である。但し、長い、或いは短い交換延伸棒１０３に交換することで、音声棒１００の長さを延長、或いは短縮することができる。
【００１３】
実施例において、左スピーカー棒１０５と右スピーカー棒１０１には、多数のスピーカー１０７を設置することができる。これにより、多数チャンネルの立体音響を達成することができる。延伸交換棒１０３は、右スピーカー棒１０１、左スピーカー棒１０５のスピーカー１０７と機能連結する。例えば、延伸交換棒１０３は、スピーカー１０７を調整しコントロール可能な音声部品を備える。延伸交換棒１０３は、連接して、さまざまな音声棒１００を構成でき、これにより音声棒１００はメディアプレーヤーのサイズに適応できる。
【００１４】
音声棒１００は、多数のスピーカー１０７と延伸交換棒１０３を交互に配列して構成することができる。音声棒１００の断面は、矩形、球形、楕円形、三角形、或いは他の形状とすることができる。音声棒１００は、薄い長い板、円柱棒、矩形棒、或いは他の大きさ、或いは長さの棒体である。
【００１５】
実施例において、伸縮音声棒１００上には、１個或いは多数個のスピーカー１０７(或いはスピーカー棒)を備え、それぞれのスピーカー１０７は、それぞれ対応するコネクターを利用して連接する。
【００１６】
別に、伸縮音声棒１００は、１個、或いは多数個の延伸交換棒１０３を挿入し、長さを拡大することができる。そのため、各スピーカー１０７は、少なくとも１個の延伸交換棒１０３上に接続する。例えば、サイズが異なる延伸交換棒１０３は、２個のスピーカー１０７の間に設置する。これにより、音声棒１００全体の長さを拡大することができ、テレビなど各メディアプレーヤーの幅に適応させることができる。
【００１７】
図２は、拡張可能な音声棒の各面視図である。視図２００は、図１に示す音声棒１００の上視図２０１、正面及び左右視図２０３、仰視図２０５、後視図２０７を含む。延伸交換棒１０３は、交換可能で、これにより音声棒１００のサイズ、長さは調整でき、右スピーカー棒１０１と左スピーカー棒１０５を変える必要はない。音声棒１００の両端は、美観のために蓋を備える。図中では、蓋２０９である。
【００１８】
各棒の一端、或いは両端には、接合構造を設置し、これにより相互に隣接する２個の棒は接合する。例えば、右スピーカー棒１０１と延伸交換棒１０３とは、凹縁端２１５により凸縁端２１３を接合する。接合構造は基本的に、相対する立体形状で、密着接合を行うことができる。
【００１９】
実施例において、相互に隣接する２個の棒の接合構造は、燕尾コネクター、或いは対応する棒状コネクターである。螺接構造は、凹端と凸端など、接合部位において相互に対応する。この他、コネクターはさらに、ボルト２１７などの機械緊密固定部品を備え、さらに隣接する２個の棒を固定する。音声棒１００背面のフック穴２１１により、音声棒１００は、壁などの表面に掛けることができる。
【００２０】
実施例において、延伸交換棒１０３は、右スピーカー棒１０１と左スピーカー棒１０５を連接できる。一端の螺接構造である凸縁端２１３は、突出端で、反対端の螺接構造である凹縁端２１５は、凹端で、多種の棒を取り付け/取り外し可能である。例えば、スピーカーの右スピーカー棒１０１と左スピーカー棒１０５を設置し、延伸交換棒１０３を利用すれば延長できる。右スピーカー棒１０１は、螺接構造である凹縁端２１５を備え、これにより螺接構造である凸縁端２１３と相互に嵌合でき、こうして連接して延伸することができる。
【００２１】
それに類似して、左スピーカー棒１０５は、螺接構造である凸縁端２２１を備え、これにより螺接構造である凹縁端２１９と相互に嵌合でき、こうして延伸交換棒１０３と連接することができる。実施例では、右スピーカー棒１０１と左スピーカー棒１０５が螺接後、右スピーカー棒１０１、延伸交換棒１０３、左スピーカー棒１０５は、延伸して、単一の音声棒１００を形成する。
【００２２】
図３は、拡張可能な音声棒の多数の分解視図、前視分解図３０１である。図３は、分解した左スピーカー棒１０５、延伸交換棒１０３、右スピーカー棒１０１を示す。前視立体図３０３は、組み合わせた左スピーカー棒１０５、延伸交換棒１０３、右スピーカー棒１０１を示す。実施例において、延伸交換棒１０３は、大きさが異なり、しかも付加機能或いは美観を備える別の棒に交換することができる。交換棒は、コネクター構造を備え、延伸交換棒１０３に類似し、これにより右スピーカー棒１０１、左スピーカー棒１０５と連接可能である。
【００２３】
分解展開図３１１、３０５は、延伸交換棒１０３、右スピーカー棒１０１、左スピーカー棒１０５の接合構造を説明する。右スピーカー棒１０１の凹縁端２１５は、延伸交換棒１０３の凸縁端２１３と、音声棒に沿って真っ直ぐに結合する。
【００２４】
図４は、別種の拡張可能な音声棒の多数の分解視図である。図４に示す構造は、延伸交換棒を備えず、右スピーカー棒１０１と左スピーカー棒１０５だけで組み合わせる音声棒である。図４０１は、取り外し後の音声棒が、スピーカーを備える右スピーカー棒１０１と左スピーカー棒１０５を備えることを説明する。図４０３は、右スピーカー棒１０１と左スピーカー棒１０５が連接して音声棒を構成する様子を示す。分解展開図４０７は、右スピーカー棒１０１の凹縁端２１５と左スピーカー棒１０５の凸縁端２２１の連接状況を説明する。
【００２５】
別種の螺接構造は、右スピーカー棒１０１に設置する凸縁端２２１と、左スピーカー棒１０５に設置する凹縁端２１５に類似する。凸縁端２２１は、図３に示す延伸交換棒１０３の凸縁端２１３に相似し、凹縁端２１５は、延伸交換棒１０３の凹縁端２１９に相似する。よって、どの種の凸縁端２２１、２１３であろうと、任意の凹縁端２１５、２１９と、螺接構造を形成することができる。そのため、異なる凹凸端接合構造を内蔵することで、音声棒は、右スピーカー棒１０１、延伸交換棒１０３、左スピーカー棒１０５、或いは右スピーカー棒１０１と左スピーカー棒１０５(延伸交換棒１０３を備えない)を連接して構成することができる。
【００２６】
図５は、拡張可能な音声棒が提供するメディアプレーヤーのサラウンドサウンドフィールドの模式図である。音声棒は、スピーカー５０９、５１１(図１に示す左スピーカー棒１０５、右スピーカー棒１０１に相当)を備える。サラウンドサウンド５００は、アンプ５０１を備え、無線方式でスピーカー５０９、５１１を一緒に音源を出力する。アンプ５０１は、低周波数を専門に表現する低音アンプ、或いは完全なスピーカーである。
【００２７】
音声棒５０７は、メディアプレーヤーを設置するリムーバブル機器５０５を備える。リムーバブル機器５０５は、例えば、CDプレーヤー、MP3プレーヤー、或いは他のスクリーンを備えるディスプレイデバイス５１３、コントロールスイッチ５１５(チャンネル、音声、電源など)のメディアプレーヤーである。実施例において、リムーバブル機器５０５は、フラッシュ保存機能、USB、ハードディスク駆動設備などの大容量の空間を備え、データ保存を行うことができる。また、リモコン５０３を通して、音声棒５０７をコントロールできる。メディアプレーヤーは、音声棒５０７中に収蔵でき、これにより音声棒５０７は、メディアプレーヤーに嵌め入れられる。
【００２８】
図６は、拡張可能な音声棒が提供する別種のメディアプレーヤーのサラウンドサウンドフィールドの模式図である。システム６００は、音声棒６０５を備え、メディアプレーヤーのサラウンド音声システムに嵌め入れる。音声棒６０５は、表示スクリーンとコントロール部品を備えるメディアプレーヤー延長交換棒６０９、スピーカーを設置しシステム６００の出力を担当するスピーカー棒６０７、６１１を備える。実施例では、延伸交換棒６０９は、音声棒６０５をコントロールするサラウンドサウンドの部品を含む。別に、システム６００は、別のプレーヤー６０１と無線リモコン６０３を結合し、一緒に使用することができる。音声棒６０５は、非矩形の棒状(表面が弧状を呈するなど)で、中央のメディアプレーヤーは、延伸交換棒６０９中に設置する。
【００２９】
図７は、拡張可能な音声棒が提供する複合式メディアプレーヤーのサラウンドサウンドフィールドの模式図である。音声棒７０５内には、DVDプレーヤーを利用してサラウンドサウンドシステム７００を形成するスピーカー棒７０７、７０９、及びメディアプレーヤーを内蔵する延伸交換棒７１１を備える。延伸交換棒７１１は、メディアのチャンネル、大量の大きさ、電源などをコントロール(或いは、表示)するコントロールスイッチ７１３を備える。別に、システム７００は、別のプレーヤー７０１を結合し、無線リモコン７０３と一緒に使用する。
【００３０】
システム７００は、別種の表示設備と一緒に使用する。例えば、タブセットディスプレイ、或いはテレビの音声は、音声棒７０５から出力される。或いは、延伸交換棒７１１は、別のメディアプレーヤーと音声棒７０５を一緒にコントロールするシステムを備える。延伸交換棒７１１は、一定の大きさ(或いは長さ)を備え、これにより音声棒７０５の長さと幅、及びタブレットディスプレイ幅との適応性(基本的に相同、或いは特定の割合とサイズに基づく美観の程度)を確保する。実施例では、音声棒７０５は、単一で、しかも滑らかな表面を備える薄く、或いは扁平な矩形棒である。
【００３１】
図８は、拡張可能な音声棒が提供する別種の複合式メディアプレーヤーのサラウンドサウンドフィールドの模式図である。音声棒８０５は、メディアプレーヤー(例えば、サイズが音声棒８０５と一致するタブレット型テレビ)を使用し、サラウンドサウンドシステム８００を形成するスピーカー棒８０７、８０９を備え、さらに表示スクリーン、或いはコントロールエンド(音量、電源、チャンネル、音声、副音声効果など)を設置する延伸交換棒８１１を備える。システム８００は、音声棒８０５により一緒にコントロールされるサブスピーカー８０１を備える。
【００３２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３３】
１００、５０７、６０５、７０５、８０５  音声棒
１０１  右スピーカー棒
１０３、６０９、７１１、８１１  延伸交換棒
１０５  左スピーカー棒
１０７、５０９、５１１  スピーカー
１０９  付加エンド
２００、２０１、２０３、２０５、２０７、３０１、３０３、３０５、３１１、４０１、４０３、４０７  図
２０９  蓋
２１１  フック穴
２１３、２２１  凸縁端
２１５、２１９  凹縁端
２１７  ボルト
５００  サラウンドサウンド
５０１  アンプ
５０３  リモコン
５０５  リムーバブル機器
５１３  ディスプレイデバイス
５１５、７１３  コントロールスイッチ
６００、７００、８００  システム
６０１、７０１  プレーヤー
６０３、７０３  無線リモコン
６０７、６１１、７０７、７０９、８０７、８０９  スピーカー棒
８０１  サブスピーカー
【図１】
0003180061.tif 000003
【図２】
0003180061.tif 000004
【図３】
0003180061.tif 000005
【図４】
0003180061.tif 000006
【図５】
0003180061.tif 000007
【図６】
0003180061.tif 000008
【図７】
0003180061.tif 000009
【図８】
0003180061.tif 000010